(57)【要約】      （修正有）【課題】頭髪の部分染めおよび生え際染めの両方に適した毛染め用具と容器の組合せの提供。【解決手段】軸方向に延びる櫛歯列２２を横方向に間隔をおいて少なくとも２列配置するとともに、それらの櫛歯列２２の間に液体状染毛剤を保持するための第１マスカラブラシ様ブラシ２４が配置された部分染め塗布部２６、および上記の少なくとも２列の櫛歯列２２の間に配置され、その一部が櫛歯列２２の基部２２ａから櫛歯の反対方向に突出した第２マスカラブラシ様ブラシ２８から構成された生え際塗布部３０を持つ。（ａ）においては、２本のマスカラブラシ様ブラシの記載を省略した。ブラシ２４においては、ブラシ毛の密度が低くされており、髪を梳くことができ、生え際塗布部３０の第２マスカラブラシ様ブラシ２８においては、ブラシ毛の密度が高くなっており、頭髪の生え際やもみあげの塗布が行いやすくなっている。【選択図】図２
2006345898.tif 000002
【特許請求の範囲】
【請求項１】
塗布部材を有する毛染め用具と、液体状染毛剤を収容し、前記毛染め用具の塗布部材が挿入される容器との組合せであって、前記塗布部材は、軸方向に延びる櫛歯列を横方向に間隔をおいて少なくとも２列配置するとともに、それらの櫛歯列の間に液体状染毛剤を保持するための第１マスカラブラシ様ブラシが配置された部分染め塗布部、および前記の少なくとも２列の櫛歯列の間に配置され、その一部が櫛歯列の基部から櫛歯の反対方向に突出した第２マスカラブラシ様ブラシから構成された生え際塗布部を持ち、
前記容器は、その首部にシゴキパッキンが設けられており、このシゴキパッキンは、切り込みが入れられ、前記塗布部材の部分染め塗布部と生え際塗布部をスクイーズする一対の第１パッキン片と、前記櫛歯列の側部をスクイーズする一対の第２パッキン片が形成されており、前記第１パッキン片は、前記毛染め用具の塗布部材が前記容器から抜かれるとき、前記の少なくとも２列の櫛歯列の間に入り込み、前記第１マスカラブラシ様ブラシをスクイーズし、該マスカラブラシ様ブラシに保持される染毛剤の量を調節することを特徴とする毛染め用具と容器の組合せ。
【請求項２】
前記第１マスカラブラシ様ブラシおよび第２マスカラブラシ様ブラシが同一物である請求項１の毛染め用具と容器の組合せ。
【請求項３】
前記の少なくとも２列の櫛歯列は、互いに対しスリットを介して少なくとも一部が分離しており、前記毛染め用具の塗布部材が前記容器から抜かれるとき、前記第２パッキン片の作用によりそれらの間隔が狭くなるようになっている請求項１または２の毛染め用具と容器の組合せ。
【請求項４】
前記容器の首部の前記シゴキパッキンより上方の内側にシール用段差を設けるとともに、前記毛染め用具のキャップ部に前記容器のシール用段差と係合するシール用段差を設け、前記毛染め用具が容器に装着されたとき、容器と毛染め用具のシール用段差が係合して容器内を密閉状態にするようになっている請求項１〜３のいずれかの毛染め用具と容器の組合せ。
【請求項５】
前記部分染め塗布部のマスカラブラシ様ブラシのブラシ毛の密度は比較的低く、生え際塗布部のマスカラブラシ様ブラシのそれは比較的高く設定されている請求項１〜４のいずれかの毛染め用具と容器の組合せ。
【発明の詳細な説明】
【技術分野】
【０００１】
本発明は、毛染め用具と容器の組合せに関し、特に頭髪の部分染めや生え際の染めに適した毛染め用具と容器の組合せに関する。
【背景技術】
【０００２】
頭髪の部分染め用の毛染め用具としては、マスカラ塗布具タイプの塗布ブラシがある。
一般のマスカラ液は、粘性があるため、シゴキパッキンによりマスカラブラシがシゴかれたとしても、睫へ塗布するに十分な量のマスカラ液が残留する。しかしながら、染毛剤の場合には、染料、顔料以外の主成分にアルコール、酸性液、アルカリ液が使用されているので、粘度が低いため、シゴキパッキンのシゴキでほとんどが塗布ブラシからシゴキ落とされてしまう。また、頭髪の場合には、睫より毛量が圧倒的に多いので、この点も相俟って、上記のマスカラ塗布具タイプの塗布ブラシを用いての頭髪の毛染めの場合には、ブラシを何度も容器に出し入れしなければならず、煩わしいという問題があった。
【発明の開示】
【発明が解決しようとする課題】
【０００３】
そこで本発明は、十分な量の染毛剤を保持することができ、頭髪の部分染めおよび生え際染めの両方に適した毛染め用具と容器の組合せを提供することを目的とする。
【課題を解決するための手段】
【０００４】
上記の課題は、本発明の下記（１）〜（５）の構成の毛染め用具と容器の組合せにより達成される。
（１）  塗布部材を有する毛染め用具と、液体状染毛剤を収容し、前記毛染め用具の塗布部材が挿入される容器との組合せであって、前記塗布部材は、軸方向に延びる櫛歯列を横方向に間隔をおいて少なくとも２列配置するとともに、それらの櫛歯列の間に液体状染毛剤を保持するための第１マスカラブラシ様ブラシが配置された部分染め塗布部、および前記の少なくとも２列の櫛歯列の間に配置され、その一部が櫛歯列の基部から櫛歯の反対方向に突出した第２マスカラブラシ様ブラシから構成された生え際塗布部を持ち、
前記容器は、その首部にシゴキパッキンが設けられており、このシゴキパッキンは、切り込みが入れられ、前記塗布部材の部分染め塗布部と生え際塗布部をスクイーズする一対の第１パッキン片と、前記櫛歯列の側部をスクイーズする一対の第２パッキン片が形成されており、前記第１パッキン片は、前記毛染め用具の塗布部材が前記容器から抜かれるとき、その少なくとも一部が、前記の少なくとも２列の櫛歯列の間に入り込み、前記第１マスカラブラシ様ブラシをスクイーズし、該マスカラブラシ様ブラシに保持される染毛剤の量を調節することを特徴とする毛染め用具と容器の組合せ。
（２）  前記第１マスカラブラシ様ブラシおよび第２マスカラブラシ様ブラシが同一物である上記（１）の毛染め用具と容器の組合せ。
（３）  前記の少なくとも２列の櫛歯列は、互いに対しスリットを介して少なくとも一部が分離しており、前記毛染め用具の塗布部材が前記容器から抜かれるとき、前記第２パッキン片の作用によりそれらの間隔が狭くなるようになっている上記（１）または（２）の毛染め用具と容器の組合せ。
（４）  前記容器の首部の前記シゴキパッキンより上方の内側にシール用段差を設けるとともに、前記毛染め用具のキャップ部に前記容器のシール用段差と係合するシール用段差を設け、前記毛染め用具が容器に装着されたとき、容器と毛染め用具のシール用段差が係合して容器内を密閉状態にするようになっている上記（１）〜（３）のいずれかの毛染め用具と容器の組合せ。
（５）  前記部分染め塗布部のマスカラブラシ様ブラシのブラシ毛の密度は比較的低く、生え際塗布部のマスカラブラシ様ブラシのそれは比較的高く設定されている上記（１）〜（４）のいずれかの毛染め用具と容器の組合せ。
【発明の効果】
【０００５】
本発明においては、上記した通り、部分染め塗布部が少なくとも２列の櫛歯列とそれらの間に配置されたマスカラブラシ様ブラシで形成されているので、櫛歯列の間のマスカラブラシ様ブラシにより、櫛歯列の間に多くの染毛剤を保持することができるので、塗布部材を頻繁に容器内に出し入れすることなく、効率よく部分染めを行うことができる。また、櫛歯の作用により、整髪能力も高い。
更に、一部が櫛歯列の基部の間から突出したマスカラブラシ様ブラシにより構成される生え際塗布部により、従来のマスカラタイプの塗布具と同様、生え際やもみあげを良好に染毛することができる。
【０００６】
ところで、本発明の毛染め用具における塗布部材は、上記したように少なくとも２列の櫛歯列を用いているため、横断面形状がほぼ矩形となるので、従来のマスカラタイプの塗布具の容器に用いられているシゴキパッキンを用いることができない。そこで、本発明においては、シゴキパッキンは、切り込みが入れられ、前記塗布部材の部分染め塗布部と生え際塗布部をスクイーズする一対の第１パッキン片と、前記櫛歯列の側部をスクイーズする一対の第２パッキン片が形成されており、前記第１パッキン片は、前記毛染め用具の塗布部材が前記容器から抜かれるとき、その少なくとも一部が、前記の少なくとも２列の櫛歯列の間に入り込み、前記第１マスカラブラシ様ブラシをスクイーズし、該マスカラブラシ様ブラシに保持される染毛剤の量を調節するようにしている。これにより、２列の櫛歯列の間に適量の染毛剤が保持され、ボタ落ち等が防止できる。
【発明を実施するための最良の形態】
【０００７】
以下、添付図面を参照しつつ本発明の好ましい実施態様による毛染め用具と容器の組合せについて説明する。
図１は、本発明の好ましい実施態様による毛染め用具と容器の組合せを示し、この図において、符号１０は毛染め用具を、符号１００は容器をそれぞれ示す。毛染め用具１０は、容器１００の蓋をするキャップ部１２、その下方に設けられたシャフト基部１４、このシャフト基部１４から下方に延びるシャフト部１６、およびこのシャフト部１６の下端に設けられた塗布部材２０を備えている。シャフト基部１４は、シャフト部１６より太くされ、それらの間にシール用段部１８が設けられている。
【０００８】
上記塗布部材２０は、図２の（ａ）、（ｂ）に示したように軸方向に延びる櫛歯列２２を横方向に間隔をおいて少なくとも２列配置するとともに、それらの櫛歯列２２の間に液体状染毛剤を保持するための第１マスカラブラシ様ブラシ２４が配置された部分染め塗布部２６、および上記の少なくとも２列の櫛歯列２２の間に配置され、その一部が櫛歯列２２の基部２２ａから櫛歯の反対方向に突出した第２マスカラブラシ様ブラシ２８から構成された生え際塗布部３０を持つ。なお、図２の（ａ）においては、上記２本のマスカラブラシ様ブラシの記載を省略した。
【０００９】
図２（ｂ）から分かるように、上記部分染め塗布部２６の第１マスカラブラシ様ブラシ２４においては、ブラシ毛の密度が比較的低くされており、この第１マスカラブラシ様ブラシ２４においても髪を梳くことができるようになっている。このブラシ２４のブラシ毛の密度が高い場合には、髪の毛の表面だけを塗布し、根本にまで届かないおそれがある。一方、生え際塗布部３０の第２マスカラブラシ様ブラシ２８においては、ブラシ毛の密度が比較的高くなっており（毛量が多くなっており）、頭髪の生え際やもみあげの塗布が行いやすくなっている。
【００１０】
上記櫛歯列２２の基部２２ａの底部は、図２の（ａ），（ｂ）に示したようなフラットなものであっても、図３の（ａ），（ｂ）に示したような短い櫛歯列のものであってもよい。また、この基部の底部は、複数のＶ字溝を設けた形態とすることもできる。また、図２に示した例では、２本のマスカラブラシ様ブラシを用いたものを示したが、図３の（ｂ）に示したように、１本マスカラブラシ様ブラシ３２を用いた形態であってもよい。なお、この場合には、一対の櫛歯列２２の基部２２ａの間の間隔を狭くして、生え際塗布部３０に用いられるブラシ毛の密度を高くする工夫が必要である。
なお、部分染めと生え際染めの染毛剤の塗布態様の違いから、部分染め塗布部２６においては、ブラシ毛の先端が櫛歯列２２の先端より突出していない方が好ましく、生え際塗布部３０においては、上記したように突出した方が、すなわちブラシ毛が露出した方が好ましい。
【００１１】
本発明の実施態様による毛染め用具１０においては、上記したシャフト基部１４の断面形状が、塗布部材２０が容器１００に対して所定の向きに挿入されるようにするため、図４に示したように略長方形となっていることが好ましい。この断面形状は、塗布部材２０の容器１００への挿入方向を規定するためのものであるので、櫛歯の延びる方向（縦方向）、あるいは櫛歯列を横切る方向（幅方向）のいずれに長辺がくる長方形であってもよいが、塗布部材２０の断面形状が通常縦方向に長い長方形の断面形状であるので、以下の説明では、それに合わせてシャフト基部１４が縦方向に長辺がくる長方形断面形状を有するものとして説明する。
【００１２】
上記容器１００には、その上部の首部１０２に、その外周に雄ネジ１０４が設けられている。一方、毛染め用具１０においては、キャップ部１２の下部に配置され、袴状をなし、上部に配置されたキャップカバー３４に対して単独で回転できる回転キャップ３６が設けられており、その内周に上記雄ネジ１０４と螺合する雌ネジ３８が形成されている。毛染め用具１０は、これらのネジの螺合により容器１００に装着されるようになっている。上記キャップカバー３４は、シャフト基部１４と一体のキャップ基部１２ａに対して、回転しないように取り付けられており、毛染め用具１０を使用する者の把持部となる。
【００１３】
上記容器１００の首部１０２の内部には、図５に示したようにインナー１０６が嵌合されており、このインナー１０６の中央部には、毛染め用具１０の塗布部材２０、シャフト部１６およびシャフト基部１４を容器１００内に挿入するための挿入孔１０８（図６）が形成されている。この挿入孔１０８においては、その上方部分１１０が、シャフト基部１４が丁度挿入係合する断面形状（略長方形）となっており、シール用段部１１２を介して、比較的幅の狭い下方部分１１４へと連続している。
【００１４】
インナー１０６の内部下部には、図７に示したような形状のシゴキパッキン部材１１６が装着されている。このシゴキパッキン部材１１６は、その機能上ゴムで形成されていることが好ましい。毛染め用具１０および容器１００の他の部分・部品は、主にプラスチックで形成される。上記シゴキパッキン部材１１６の上部には、外方に突出したフランジ状シール部１１８が形成され、このフランジ状シール部１１８は上記シール用段部１１２上に配置されている。以上により、毛染め用具１０が、雌ネジ３８および雄ネジ１０４の螺合により容器１００に装着されたとき、毛染め用具１０側のシール用段部１８と容器１００側のシール用段部１１２とで上記シール部１１８を挟み込みシールを形成し、容器１００内部を密閉する。
【００１５】
上記シゴキパッキン部材１１６の中央部には、毛染め用具１０の塗布部材２０およびシャフト部１６を容器１００内に挿入するための挿入孔１２０（図７）が形成されている。シゴキパッキン部材１１６の下部には、挿入孔１２０の底部を閉じるような態様でシゴキパッキン１２２が設けられており、そのシゴキパッキン１２２の周囲には、フランジ部１２４が設けられている。上記シゴキパッキン１２２には、図８に示されているような切り込みが入れられ、上記塗布部材２０の部分染め塗布部２６と生え際塗布部３０をスクイーズする一対の第１パッキン片１２６と、上記櫛歯列２２の側部をスクイーズする一対の第２パッキン片１２８が形成されている。上記一対の第１パッキン片１２６の一方は、毛染め用具１０の塗布部材２０が容器１００から抜かれるとき、少なくともその先端が、上記２列の櫛歯列２２の間に入り込み、前記第１マスカラブラシ様ブラシ２４をスクイーズし、該マスカラブラシ様ブラシ２４に保持される染毛剤の量を調節する。このとき、一対の第１パッキン片１２６の他方も、少なくともその先端が、櫛歯列の基部２２ａ側から上記２列の櫛歯列２２の間に入り込み、生え際塗布部３０側のマスカラブラシ様ブラシをスクイーズし、該マスカラブラシ様ブラシに保持される染毛剤の量を調節するようにしてもよい。あるいは、櫛歯列間に入り込まずに、ブラシ毛の突出している分だけをスクイーズするようにしてもよい。
【００１６】
なお、上記第１パッキン片１２６および第２パッキン片１２８の形状は、図９の（ａ），（ｂ），（ｃ）に示したような形状としてもよい。なお、塗布部材２０の容器１００内への出し入れを容易にするためには、図９の（ｂ），（ｃ）に示したように、各片の間に間隔を設けてもよい。この間隔を設けるときには、液漏れを考慮して２ｍｍ以下とする。本態様においては、少なくとも２列の櫛歯列を用い塗布部材２０の断面形状が長方形となることから、シゴキパッキンの形態を以上のようにしたが、この形態となると、塗布部材２０とシャフト部１６が容器１００内に挿入された不使用状態のとき、シャフト部１６とシゴキパッキン１２２の間のシールが完全でなくなり、容器１００が倒れたときなどに染毛剤がシゴキパッキン１２２を通過してしまうおそれがある。そこで、本形態においては、上記したように、容器１００の首部のシゴキパッキン１２２より上方においてシール用段部１１２を設けるとともに、毛染め用具１０側には、シャフト基部１４とシャフト部１６の間にシール用段部１８を設けて、その部分で実質的に完全なシールを行い、容器１００が倒れてしまったような場合にも、染毛剤が漏出するような事態を防止できるようにした。なお、従来のマスカラブラシ様ブラシのみを用いた塗布部材の場合には、シャフト部が円形であり、シゴキパッキンの開口も円形であるので、比較的シール性が良好であり、上記のような特別なシールは必要なかった。
【００１７】
ところで、上記したように、部分染め塗布部２６のマスカラブラシ様ブラシ２４でも髪の毛が梳けるように、そのブラシ毛の密度は比較的低くされていることが好ましいが、そうするとブラシによる染毛剤の保持力が弱まってしまい、些細な動作や揺れ動きで、ブラシに保持されていた染毛剤の一部がボタ落ちしたり、飛散したりしてしまうおそれがあった。そこで、上記塗布部材２０において、隣り合った櫛歯列の間（２列の櫛歯列の間）にスリット（空間）を設けるとともに、外力が加わったとき、一対の櫛歯列が内側（互いの方向）に変形しうるように構成しておき、それらの間の間隔が狭くなるようになっていることが好ましい。これにより、櫛歯列間に配置されたマスカラブラシ様ブラシ２４（２８）に含まれた染毛剤を絞り、塗布部材２０による保持量を更に調節するようにしてもよい。
【００１８】
具体的には、図１０の（ａ）に示したように、２列の櫛歯列２２の間の空間４０に連続してシャフト部１６にもスリット４２を入れた構造や、（ｂ）に示したように、２列の櫛歯列２２の先端を接続せず、先割れ状４４とした構造や、（ｃ）に示したように、角割れ状４６とした構造や、（ｄ）に示したように、２列の櫛歯列２２の基部２２ａの側部に複数のＶ溝４８を設けた構造等を好ましく採用することができる。なお、上記一対の第２パッキン片１２８は、毛染め用具１０の塗布部材２０が容器１００から抜かれるとき、上記２列の櫛歯列２２の外側部をスクイーズするが、このスクイーズの力で上記２列の櫛歯列２２を互いの方向に近づけるようにすることが好ましい。
以上説明した本発明の実施態様による毛染め用具は、部分染め塗布部に十分な量の染毛剤を保持することができ、頭髪の部分染めを効率よく行えるととともに、この部分染め塗布部の反対側に設けた生え際塗布部により生え際染めやもみあげ染めを良好に行うことができる。
【図面の簡単な説明】
【００１９】
【図１】本発明の一実施の形態による毛染め用具と容器の組合せを毛染め用具を容器から離した状態で示した図である。
【図２】（ａ）は図１に示した毛染め用具の主要部である塗布部材の側面図、（ｂ）は（ａ）の線Ａ−Ａに沿う断面である。
【図３】（ａ）は図１に示した毛染め用具の主要部である塗布部材の変形例を示す側面図、（ｂ）は（ａ）の線Ｂ−Ｂに沿う断面である。
【図４】図１に示した毛染め用具の斜視図である。なお、キャップカバー３４は省略して示した。
【図５】毛染め用具を容器に取り付けた場合の容器の首部等を示す縦断面図である。
【図６】図５に示したインナーの斜視図である。
【図７】図５に示したシゴキパッキン部材の斜視図である。
【図８】図７に示したシゴキパッキン部材の底面図である。
【図９】（ａ）、（ｂ）、（ｃ）はそれぞれシゴキパッキン部材の変形例をそれぞれ示す底面図である。
【図１０】（ａ）、（ｂ）、（ｃ）、（ｄ）は、染毛剤の保持量調節機能を更に備えた塗布部材の変形例をそれぞれ示す概略平面図である。
【符号の説明】
【００２０】
１０      毛染め用具
１２      キャップ部
１２ａ    キャップ基部
１４      シャフト基部
１６      シャフト部
１８      シール用段部
２０      塗布部材
２２      櫛歯列
２２ａ    櫛歯列の基部
２４      第１マスカラブラシ様ブラシ
２６      部分染め塗布部
２８      第２マスカラブラシ様ブラシ
３０      生え際塗布部
３２      １本マスカラブラシ様ブラシ
３４      キャップカバー
３６      回転キャップ
３８      雌ネジ
４０      空間
４２      スリット
４４      先割れ状櫛歯列
４６      角割れ状櫛歯列
４８      Ｖ溝
１００    容器
１０２    首部
１０４    雄ネジ
１０６    インナー
１０８    挿入孔
１１０    挿入孔の上方部分
１１２    シール用段部
１１４    挿入孔の下方部分
１１６    シゴキパッキン部材
１１８    フランジ状シール部
１２０    挿入孔
１２２    シゴキパッキン
１２４    フランジ部
１２６    一対の第１パッキン片
１２８    一対の第２パッキン片
【図１】
2006345898.tif 000003
【図２】
2006345898.tif 000004
【図３】
2006345898.tif 000005
【図４】
2006345898.tif 000006
【図５】
2006345898.tif 000007
【図６】
2006345898.tif 000008
【図７】
2006345898.tif 000009
【図８】
2006345898.tif 000010
【図９】
2006345898.tif 000011
【図１０】
2006345898.tif 000012
【手続補正書】
【提出日】平成17年6月24日(2005.6.24)
【手続補正１】
【補正対象書類名】図面
【補正対象項目名】図１
【補正方法】変更
【補正の内容】
【図１】
2006345898.tif 000013
【手続補正２】
【補正対象書類名】図面
【補正対象項目名】図５
【補正方法】変更
【補正の内容】
【図５】
2006345898.tif 000014